(57)【特許請求の範囲】
【請求項１】
養液栽培装置を設け、該養液栽培装置は、上段載置棚と下段載置棚の２段構成である高設架台を設け、上段載置棚上には左右幅が狭い水耕ベッドを載置し、下段載置棚上には左右幅が広い水耕ベッドを載置し、各々の水耕ベッドの凹部内に水耕シートを敷き、その上に根切りシートを敷いて栽培培地を充填した構成であり、前記凹部内の側壁部には、上部が緩やかな円弧面を形成する水耕シート受け部材を配設し、水耕シートは、水耕シート受け部材に下方より受けられて水耕ベッドの左右両側より垂れ下がる構成とし、高設架台の左右両側方にレールを固定し、該レールを電動モーターの駆動で自走する走行輪と、正面視で門型状の防除パイプで構成される防除装置を設け、防除パイプには、正面視で苗の上方及び左右両側方及び左右下方から薬液を散布するように薬液散布ノズルを設けた養液栽培ハウス。
【発明の詳細な説明】
【技術分野】
【０００１】
本発明は、苺等の作物を育苗及び栽培する養液栽培装置を設けた養液栽培ハウスに関するものである。
【背景技術】
【０００２】
苺の育苗装置で、育苗スペースの効率化の為に、多段に水耕用ベッドを設けて、親株のランナーから子株を順次発生させて子株を多段の水耕用ベッドに植えて苺苗を育苗するものがある。
【特許文献１】特開平１０−５２１７１号公報
【発明の開示】
【発明が解決しようとする課題】
【０００３】
然しながら、従来例の育苗装置では、子株を水耕用ベッドに植えて育苗するものである為に、成育した子株を栽培装置の栽培床に植え替える際に、水耕用ベッドから子株の根を掘り出して植え替えるという作業を行なわなければならないので、子株の根を損傷してしまって、子株の苗質が悪くなるという問題があり、栽培装置での栽培にて初期成育が遅れ、良質の苺収穫及び一株当りの収穫量の点において課題があった。
【課題を解決するための手段】
【０００４】
請求項１記載の発明は、養液栽培装置を設け、該養液栽培装置は、上段載置棚と下段載置棚の２段構成である高設架台を設け、上段載置棚上には左右幅が狭い水耕ベッドを載置し、下段載置棚上には左右幅が広い水耕ベッドを載置し、各々の水耕ベッドの凹部内に水耕シートを敷き、その上に根切りシートを敷いて栽培培地を充填した構成であり、前記凹部内の側壁部には、上部が緩やかな円弧面を形成する水耕シート受け部材を配設し、水耕シートは、水耕シート受け部材に下方より受けられて水耕ベッドの左右両側より垂れ下がる構成とし、高設架台の左右両側方にレールを固定し、該レールを電動モーターの駆動で自走する走行輪と、正面視で門型状の防除パイプで構成される防除装置を設け、防除パイプには、正面視で苗の上方及び左右両側方及び左右下方から薬液を散布するように薬液散布ノズルを設けた養液栽培ハウスとしたものである。
【０００５】
【発明の効果】
【０００６】
請求項１に記載の発明によれば、養液栽培装置による栽培では苺は水耕ベッドの左右両外側に垂れ下がるようにして実る。この時、水耕シート受け部材にて水耕シートが下方より受けられて、水耕シートが緩やかな円弧状面を形成して水耕ベッドの左右両側で下方に垂れ下がっているので、苺のなっている茎は、この緩やかな円弧状面に受けられているから折れたり傷ついたりすることが防止されて、苺は良好に成育し良質の苺を収穫することができる。しかも、養液栽培装置による子株の育苗期には、上段の水耕ベッドに苺の親株を１列植えて、その親株から伸びたランナーの先端にできた子株及びその子株から伸びたランナーの先端にできた子株を下段の水耕ベッドに植えて、育苗する。そして、苺栽培期には、下段の水耕ベッドで育苗した子株を間引いて等間隔に残し、間引いた子株を上段の水耕ベッドに植える。従って、下段の水耕ベッドの子株は、ランナーから発生した時に植えられたままで栽培されるので、苗の根等の損傷もなく品質の良い苗となり良質の苺を収穫できる。然も、子株を植え替える工数が少ないので、生産効率もとても良く、以後の苺栽培が良好に行なえて、良質の苺の収穫が行なえ、一株当りの収穫量も増加する。更に、防除装置は、レールを走行輪が自走して、栽培培地に植えられた苺苗の葉の表側及び裏側の両面に適正に薬液を散布し、苺苗に対して適正な薬液散布作業が自動で行える。そして、一つの養液栽培装置の薬剤散布が終われば、その養液栽培装置のレールから防除装置を取り外し、隣の養液栽培装置のレールに防除装置を乗せて、同様にして薬剤散布作業を行なう。従って、少ない労力で効率良く、然も、苺苗の葉の表側及び裏側の両面に適正に薬液を散布できる。
【発明を実施するための最良の形態】
【０００７】
（実施例１）
本発明の一実施の形態を図面に基づいて、詳細に説明する。
養液栽培ハウス１内に、苺の親株Ａから伸びたランナーから発生した子株を育苗する育苗装置２と苺の養液栽培装置３とが設けられている。
【０００８】
育苗装置２は、正面視で台形状に枠組した支持枠４に目抜き鋼板（多数の孔が開いている鋼板）よりなる載置台５…を６段固定し、最上段の載置台５上に苺の親株用プランター６…が一列に多数載置されている。そして、上から２段目〜６段面の載置台５…の各々の左右端部に内部にビニール製の内径が６〜９ｃｍの育苗用ポット７（底面には給水及び排水用の孔があいている）を多数収納できる子株用トイ８ａ，８ｂ，８ｃ，８ｄ，８ｅを載置している。
【０００９】
９は苺の親株Ａに灌水する為の小さな灌水孔を多数設けた灌水パイプであり、一列に並べられた親株用プランター６…の上面に沿って配置して設けてあり、養液栽培ハウス1内の土中に埋設された給水配管１０より第１給水管１１にて液肥入りの水(養液)が給水されて、一列に並べられた親株用プランター６…内に植えられた苺の各親株Ａに養液を灌水するように構成されている。
【００１０】
１２は最上段の載置台５の下方に配置された排水用トイであって、各親株用プランター６…の底面に設けられた排水孔から排水される排出養液を受けて、第１排水管１３にて排水配管１４に使用済み養液を排水する構成となっている。
【００１１】
１５は子株用トイ８ａ…の各々に養液を給水する第２給水管であって、基部は給水配管１０に連結され、各出水部１５ａ…は各子株用トイ８ａ…内に臨んで設けられている。尚、１５ｂ…は、各子株用トイ８ａ…への養液を給水したり停止したりする為の給水バルブである。
【００１２】
１６は分岐した先端部１６ａ…が各子株用トイ８ａ…の底面に連結され使用済みの養液を排水する第２排水管であって、基部は排水配管１４に連結され、各子株用トイ８ａ…の使用済みの養液を排水するように設けられている。
【００１３】
ここで、上記育苗装置２で苺の親株Ａから伸びたランナーから発生した子株を育苗する方法を説明する。
先ず、各親株用プランター６…内に細粒状のロックウールを栽培用床として充填し、苺の親株Ａを２列に植える。そして、各子株用トイ８ａ…内には、内部に細粒状のロックウールを育苗用床として充填した育苗用ポット７…を密着状にして並べて載置する。
【００１４】
そして、灌水パイプ９にて各苺の親株Ａに養液を灌水し、使用済み養液は排水用トイ１２で受けて第１排水管１３にて排水配管１４に排水して、育苗する。この時点では、各子株用トイ８ａ…に対応する給水バルブ１５ｂ…は、全て閉じておく。
【００１５】
苺の親株Ａを育苗すると、やがてランナーが伸びてその先端に第１番目の子株ａ１ができる。そこで、その子株ａ１を２段目の載置台上の子株用トイ８ａ内の育苗用ポット７に植える。そして、２段目の載置台上の子株用トイ８ａへの養液給水をする為に２段目の載置台上の子株用トイ８ａに対応する給水バルブ１５ｂを開け、各親株Ａと同時に２段目の載置台上の子株用トイ８ａ内の育苗用ポット７に植えられた子株ａ１にも養液を給水し、育苗する。尚、子株用トイ８ａ内に養液を給水すると、養液は、育苗用ポット７の底面に開けた孔から育苗用ポット７内部に入り込み育苗用床（細粒状のロックウール）に植えられた子株ａ１は養液を吸収して成長する。そして、使用済み養液は、第２排水管１６にて排水配管１４に排水される。
【００１６】
このようにして、親株Ａと子株ａ１を育苗すると、今度は、子株ａ１からランナーが伸びてその先端に第２番目の子株ａ２ができる。そこで、その子株ａ２を３段目の載置台上の子株用トイ８ｂ内の育苗用ポット７に植える。そして、３段目の載置台上の子株用トイ８ｂへの養液給水をする為に３段目の載置台上の子株用トイ８ｂに対応する給水バルブ１５ｂを開け、各親株Ａ・子株ａ１と同時に３段目の載置台上の子株用トイ８ｂ内の育苗用ポット７に植えられた子株ａ２にも養液を給水し、育苗する。
【００１７】
次に、親株Ａ・子株ａ１・ａ２を育苗すると、今度は、子株ａ２からランナーが伸びてその先端に第３番目の子株ａ３ができる。そこで、その子株ａ３を４段目の載置台上の子株用トイ８ｃ内の育苗用ポット７に植える。そして、４段目の載置台上の子株用トイ８ｃへの養液給水をする為に４段目の載置台上の子株用トイ８ｃに対応する給水バルブ１５ｂを開け、各親株Ａ・子株ａ１・ａ２と同時に４段目の載置台上の子株用トイ８ｃ内の育苗用ポット７に植えられた子株ａ３にも養液を給水し、育苗する。
【００１８】
次に、親株Ａ・子株ａ１・ａ２・ａ３を育苗すると、今度は、子株ａ３からランナーが伸びてその先端に第４番目の子株ａ４ができる。そこで、その子株ａ４を５段目の載置台上の子株用トイ８ｄ内の育苗用ポット７に植える。そして、５段目の載置台上の子株用トイ８ｄへの養液給水をする為に５段目の載置台上の子株用トイ８ｄに対応する給水バルブ１５ｂを開け、各親株Ａ・子株ａ１・ａ２・ａ３と同時に５段目の載置台上の子株用トイ８ｄ内の育苗用ポット７に植えられた子株ａ４にも養液を給水し、育苗する。
【００１９】
次に、親株Ａ・子株ａ１・ａ２・ａ３・ａ４を育苗すると、今度は、子株ａ４からランナーが伸びてその先端に第５番目の子株ａ５ができる。そこで、その子株ａ５を６段目の載置台上の子株用トイ８ｅ内の育苗用ポット７に植える。そして、６段目の載置台上の子株用トイ８ｅへの養液給水をする為に６段目の載置台上の子株用トイ８ｅに対応する給水バルブ１５ｂを開け、各親株Ａ・子株ａ１・ａ２・ａ３・ａ４と同時に６段目の載置台上の子株用トイ８ｅ内の育苗用ポット７に植えられた子株ａ５にも養液を給水し、育苗する。
【００２０】
このようにして、子株から順次発生していくランナー先端の子株を育苗用ポット７に植えて育苗する。
そして、一つの親株から４〜５本のランナーを伸ばして、１本のランナーに４〜５個の子株がつくようにして、育苗する。即ち、一つの親株で１６個〜２５個の子株を発生させて育苗すると、良質の子株の育成が行なえる。
【００２１】
そして、成育した子株は、ランナーを切って、育苗用ポット７ごと子株用トイ８ａ（８ｂ，８ｃ，８ｄ，８ｅ）から取出して、後述の養液栽培装置３に持って行き、子株を育苗用ポット７から育苗用床（細粒状のロックウール）ごと取出し、そのまま養液栽培装置３の栽培培地に植える。従って、子株の根が育苗用床（細粒状のロックウール）にある状態のままで養液栽培装置３の栽培培地に植えることができるので、子株の根を傷めることがなく、子株の苗質が良いので、以後の苺栽培が良好に行なえて、良質の苺の収穫が行なえ、一株当りの収穫量も増加する。
【００２２】
次に、養液栽培装置３について説明する。
パイプ材にて構成された高設架台２０が、養液栽培ハウス1内に、作業者が栽培作業（苗に対する点検や防除や収穫等の各種作業）を行ないながら歩行できる間隔をあけて、複数列設けられている。
【００２３】
各高設架台２０上には発砲スチロールよりなる水耕ベッド２１を載置し、該水耕ベッド２１の凹部２２内に不織布よりなる水耕シート２３を敷き、その上に根切りシート２４（細かい目あいの樹脂製網状ネット）を敷いてその中に細粒状のロックウールよりなる栽培培地２５を充填している。
【００２４】
そして、水耕ベッド２１の凹部２２内の側壁部に所定間隔をあけて、板状の水耕シート受け部材２６…を配設している。該水耕シート受け部材２６は図に示すように上部が緩やかな円弧面を形成する構成となっており、水耕ベッド２１の左右両側より垂れ下がるように設けた水耕シート２３を下方より受けて、該水耕シート２３が緩やかな円弧状面を形成するように作用する。
【００２５】
２７は栽培培地２５上面に配置された灌水用パイプであって、所定間隔に小さな孔が形成されており、栽培培地２５に２列に植えられた苺の苗に養液を灌水する構成となっている。苺の苗は苺がなる方向が決まっているので、水耕ベッド２１に苺の苗を植えるときに、苺が水耕ベッド２１の外側方に向けてなるように植える。
【００２６】
すると、苺は水耕ベッド２１の左右両外側に垂れ下がるようにして実る。この時、水耕シート受け部材２６にて水耕シート２３が下方より受けられて、水耕シート２３が緩やかな円弧状面を形成して水耕ベッド２１の左右両側で下方に垂れ下がっているので、苺のなっている茎は、この緩やかな円弧状面に受けられているから折れたり傷ついたりすることが防止されて、苺は良好に成育し良質の苺を収穫することができる。
【００２７】
２８は水耕ベッド２１の凹部２２左右中央部の底面部に設けた排水用の溝で、使用済みの養液を排水する為に設けられている。
２９は自走式の防除装置であって、正面視で門型状の防除パイプ３０と高設架台２０の左右両側方に固定されたレール３１を電動モーターの駆動で自走する走行輪３２とで構成されている。そして、防除パイプ３０には、薬液散布ノズル３３…が正面視で苗に上方及び左右両側方及び左右下方から薬液を散布できるように設けられており、また、薬液パイプ３４にて薬液供給機(図示せず)に連結されている。
【００２８】
よって、防除装置２９は、レール３１を走行輪３２が自走して、養液栽培装置３の栽培培地に植えられた苺苗の葉の表側及び裏側の両面に適正に薬液を散布し、養液栽培装置３の栽培培地に２列に植えられた全ての苺苗に対して適正な薬液散布作業が自動で行える。そして、１つの養液栽培装置３の薬剤散布が終われば、その養液栽培装置３のレール３１から防除装置２９を取り外し、隣の養液栽培装置３のレール３１に防除装置２９を乗せて、同様にして薬剤散布作業を行なう。従って、少ない労力で効率良く、然も、苺苗の葉の表側及び裏側の両面に適正に薬液を散布できる。
【００２９】
尚、養液栽培装置３に設けたレール３１を防除装置２９が自走する形態に代えて、養液栽培装置３の上方にワイヤーを張って、該ワイヤーに正面視で門型状の防除パイプ３０を装備する防除装置２９を吊り下げて、防除装置２９をワイヤーに沿って動力で移動させるか人が引っ張って移動させながら薬剤散布作業を行なうようにしても良い。
【００３０】
以上の育苗装置２及び養液栽培装置３により、苺栽培する過程を総合して説明すると、前記育苗装置２で育成した良質の子株を育苗用ポット７から育苗用床（細粒状のロックウール）ごと取出し、そのまま養液栽培装置３の栽培培地に植える。従って、子株の根が育苗用床（細粒状のロックウール）にある状態のままで養液栽培装置３の栽培培地２５に植えられる。そして、灌水用パイプ２７にて苗に養液を灌水し、使用済みの養液は排水用の溝２８にて排水して苗を栽培する。すると、子株の根を傷めることがなく、子株の苗質が良いので、苺栽培が良好に行なえる。然も、苺は水耕ベッド２１の左右両外側に垂れ下がるようにして実り、水耕シート受け部材２６にて水耕シート２３が下方より受けられて、水耕シート２３が緩やかな円弧状面を形成して水耕ベッド２１の左右両側で下方に垂れ下がっているので、苺のなっている茎は、この緩やかな円弧状面に受けられているから折れたり傷ついたりすることが防止されて、苺は良好に成育し良質の苺を収穫することができ、一株当りの収穫量も増加する。
【００３１】
尚、養液栽培ハウス1内の天井部位には、遮光カーテン６６が開閉自在に設けられている。そして、該遮光カーテン６６の下方には、ハウス内の空気を循環させて室温を均一にする循環ファン６７が設けられている。そして、特に、この実施例の養液栽培ハウス１においては、循環ファン６７による送風が遮光カーテン６６に直接当たらないように、遮光カーテン６６の下方に防風ネット６８が設けられている。従って、ハウス内の空気を循環させて室温を均一にする為に循環ファン６７にて送風しても、防風ネット６８により風は弱められるので、遮光カーテン６６に強い風が当たることが防止されて、遮光カーテン６６が風により破れたて破損することが防止できる。尚、遮光カーテン６６に風が当たらないように循環ファン６７の風を下方に向けることが考えられるが、風を下方に向けると、養液栽培装置３の苗に強い風が当たるので、苗の成育に支障をきたしてしまい良くない。
(実施例２)
上記の実施例１の防除装置２９に代えて、養液栽培装置３に沿って往復自走する自走式防除装置５０を用いた養液栽培ハウス1の他の例を図６に基づいて説明する。
【００３２】
養液栽培ハウス1内に、実施例１と同じ養液栽培装置３（レール３１は設けられていない）が各種作業（苗に対する点検や防除や収穫等の各種作業）が行なえる間隔をあけて複数列設けられている。
【００３３】
５０は自走式の一般的な自走式防除装置であって、走行路面に配置された電磁誘導線５１に沿って自動走行し、前進後進切替センサ５２の検出により前進から後進に自動的に切り替えられて自動走行する。
【００３４】
５３は上記の前進後進切替センサ５２が先端に装着された電磁誘導線５１を巻取り及び引出し自在に設けた誘導線巻取り器である。
ここで、上記の誘導線巻取り器５３を用いた防除作業を説明すると、先ず、誘導線巻取り器５３を養液栽培装置３間の作業通路の一端側に持って行き、誘導線巻取り器５３から電磁誘導線５１を引出して、該作業通路の中央部に図に実線で示すように置く。そして、該電磁誘導線５１を跨らせた状態で自走式防除装置５０をセットして前進させて防除作業を開始する。すると、自走式防除装置５０は電磁誘導線５１に沿って前進して薬剤を左右両側の養液栽培装置３に対して散布する。そして、自走式防除装置５０が作業通路の他端にセットされた電磁誘導線５１先端の前進後進切替センサ５２の位置まで来ると、自走式防除装置５０は前進後進切替センサ５２を検出して後進に切替えられて、後進して防除作業を続ける。その後、作業者の居る誘導線巻取り器５３の位置まで自走式防除装置５０が戻ってくると、作業者は自走式防除装置５０の防除作業及び進行を停止させて、電磁誘導線５１を巻取る。
【００３５】
次に、隣の誘導線巻取り器５３を養液栽培装置３間の作業通路の一端側に持って行き、同様に、誘導線巻取り器５３から電磁誘導線５１を引出して、自走式防除装置５０にて防除作業を行なう。
【００３６】
従来は、養液栽培ハウス1内に自走式防除装置５０が走行する通路に電磁誘導線５１を張巡らせて埋設配置し、自走式防除装置５０がその張巡らされた電磁誘導線５１に沿って自動走行して防除作業を行なう施設であった為に、養液栽培施設が高価なものとなっていた。そこで、上記のように各作業通路毎に作業者が誘導線巻取り器５３から電磁誘導線５１を引出して配置する構成にすると、施設自体が安価なものとなり、防除作業も効率よく行なえる。
(実施例３)
他の例として図７〜図９に基づいて、上記の実施例１の苺の育苗装置２と養液栽培装置３に代えて、育苗及び栽培を兼ね備えた養液栽培装置６０の説明をする。
【００３７】
パイプ材にて構成された高設架台６１が、養液栽培ハウス1内に、作業者が栽培作業（苗に対する点検や防除や収穫等の各種作業）を行ないながら歩行できる間隔をあけて、複数列設けられている。そして、高設架台６１は、上段載置棚６２と下段載置棚６３との２段構成となっている。
【００３８】
上段載置棚６２上には左右幅が狭い１条植え用の発砲スチロールよりなる水耕ベッド６４を載置し、下段載置棚６３上には左右幅が広い２条植え用の発砲スチロールよりなる水耕ベッド６５を載置して構成している。そして、水耕ベッド６４及び水耕ベッド６５は、実施例１の水耕ベッド２２と同じ構成であって、その凹部６４ａ・６５ａ内に不織布よりなる水耕シート６４ｂ・６５ｂを敷き、その上に根切りシート６４ｃ・６５ｃ（細かい目あいの樹脂製網状ネット）を敷いてその中に細粒状のロックウールよりなる栽培培地６４ｄ・６５ｄを充填している。そして、水耕ベッド６４・６５にも実施例１と同じく板状の水耕シート受け部材６４ｅ・６５ｅが設けられている。
【００３９】
子株の育苗期には、図７に示すように、上段の水耕ベッド６４に苺の親株を１列植えて、その親株から伸びたランナーの先端にできた子株及びその子株から伸びたランナーの先端にできた子株（４番目の子株まで育苗する）を下段の水耕ベッド６５に植えて、育苗する。
【００４０】
そして、苺栽培期には、下段の水耕ベッド６５で育苗した子株を間引いて図９のように左右２列に等間隔に残し、間引いた子株を上段の水耕ベッド６４に図９に示すように下段の水耕ベッド６５に植えられている子株間に位置するように植える。そして、養液を供給して栽培すると、上段の水耕ベッド６４に植えた苺苗及び下段の水耕ベッド６５に植えた苺苗は平面視で位置がずれて植えられた状態（千鳥状の植付け状態）となっているので、全ての苗が適切な受光量を得ることができて、良好な成育をして、良質の苺を収穫することができる。然も、下段の水耕ベッド６５の子株は、ランナーから発生した時に植えられたままで栽培されるので、苗の根等の損傷もなく品質の良い苗となり良質の苺を収穫できる。然も、子株を植え替える工数が少ないので、生産効率もとても良い。
【図面の簡単な説明】
【００４１】
【図１】養液栽培ハウスの全体正面断面図である。（実施例１）
【図２】（ａ）は育苗装置の正面図、（ｂ）は背面図である。（実施例１）
【図３】育苗装置の側面図である。（実施例１）
【図４】（ａ）は育苗装置の平面図、（ｂ）は作用説明用平面図である。（実施例１）
【図５】（ａ）は養液栽培装置の正面断面図、（ｂ）は一部拡大断面図である。（実施例１）
【図６】他の例を示す養液栽培ハウスの作用説明用平面図である。（実施例２）
【図７】他の例を示す養液栽培装置の正面断面図である。（実施例３）
【図８】他の例を示す養液栽培装置の正面断面図である。（実施例３）
【図９】他の例を示す養液栽培装置の平面図である。（実施例３）
【符号の説明】
【００４２】
１：養液栽培ハウス、２０，６１：高設架台、２９：防除装置、３０：防除パイプ、３１：レール、３２：走行輪、３３：薬液散布ノズル、６０：養液栽培装置、６２：上段載置棚、６３：下段載置棚、６４，６５：水耕ベッド、６４ａ・６５ａ：凹部、６４ｂ・６５ｂ：水耕シート、６４ｃ・６５ｃ：根切りシート、６４ｄ・６５ｄ：栽培培地、６４ｅ・６５ｅ：水耕シート受け部材
【図１】
0004821313.tif 000002
【図２】
0004821313.tif 000003
【図３】
0004821313.tif 000004
【図４】
0004821313.tif 000005
【図５】
0004821313.tif 000006
【図６】
0004821313.tif 000007
【図７】
0004821313.tif 000008
【図８】
0004821313.tif 000009
【図９】
0004821313.tif 000010